(57)【要約】【課題】バリアブル部品を含む印刷物を安価且つ効率的に作成することのできる印刷システム及び印刷物作成方法を提供する。【解決手段】部品解析装置１６は、ページコンテンツ作成装置１４から供給されたページコンテンツにバリアブル部品が含まれている場合、そのページコンテンツをページリストに登録して面付け処理装置１８に供給する。面付け処理装置１８は、ページリストに登録されたページコンテンツをカラープリンタ２０により印刷する一方、ページリストに登録されていないページコンテンツをイメージセッタ２２を介して印刷機２４により印刷する。これらの印刷物を合わせることにより、バリアブル部品が混在する印刷物を安価且つ効率的に作成することができる。【選択図】図１
2009279827.tif 000002
【特許請求の範囲】
【請求項１】
印刷物のページコンテンツを構成する印刷用コンテンツに、当該印刷物に固有のバリアブル部品が含まれるか否かを解析する部品解析装置と、
前記バリアブル部品が含まれる当該ページコンテンツを印刷する第１印刷装置と、
前記バリアブル部品が含まれない当該ページコンテンツを印刷する第２印刷装置と、
前記バリアブル部品が含まれる当該ページコンテンツの面付け処理を行い、前記第１印刷装置に供給する一方、前記バリアブル部品が含まれない当該ページコンテンツの面付け処理を行い、前記第２印刷装置に供給する面付け処理装置と、
を備えることを特徴とする印刷システム。
【請求項２】
請求項１記載のシステムにおいて、
前記印刷用コンテンツを用いて、印刷物の各ページを構成する前記ページコンテンツを作成するページコンテンツ作成装置を備えることを特徴とする印刷システム。
【請求項３】
請求項１記載のシステムにおいて、
前記部品解析装置は、前記バリアブル部品が含まれる当該ページコンテンツをページリストとして登録するページリスト登録部を備え、
前記面付け処理装置は、前記ページリストに従い、前記第１印刷装置に供給する前記ページコンテンツと、前記第２印刷装置に供給する前記ページコンテンツとを分類することを特徴とする印刷システム。
【請求項４】
請求項１記載のシステムにおいて、
前記第２印刷装置は、リユーザブル部品のみからなる当該ページコンテンツを印刷する製版印刷機からなることを特徴とする印刷システム。
【請求項５】
印刷物のページコンテンツを構成する印刷用コンテンツに、当該印刷物に固有のバリアブル部品が含まれるか否かを解析するステップと、
前記バリアブル部品が含まれる当該ページコンテンツの面付け処理を行い、第１印刷装置に供給するステップと、
前記バリアブル部品が含まれない当該ページコンテンツの面付け処理を行い、第２印刷装置に供給するステップと、
前記第１印刷装置及び前記第２印刷装置を用いて印刷物を作成するステップと、
を有することを特徴とする印刷物作成方法。
【発明の詳細な説明】
【技術分野】
【０００１】
本発明は、固有のバリアブル部品を含む印刷物を作成する印刷システム及び印刷物作成方法に関する。
【背景技術】
【０００２】
近年、印刷物の作成作業は、コンピュータにより印刷用コンテンツの作成、編集を行い、レーザプリンタ、インクジェットプリンタ等のカラープリンタやイメージセッタ等のデジタル印刷装置を用いて印刷物を作成する、いわゆる、ＤＴＰ（Desk Top Publishing）が主流になっている。特に、製版工程を経ずに、カラープリンタを用いて印刷物を直接作成するＰＯＤ（Print On Demand）では、印刷物の１枚毎に内容を変更したバリアブル印刷が可能であるため、例えば、少量生産品用のマニュアル、製品カタログ、ダイレクトメール、折り込み広告等、小ロットの印刷物や短納期の印刷物の作成に適している。
【０００３】
ところで、図１０に示すように、１ページ目の表紙のみが固有のバリアブル部品ｖによって構成され、２ページ目以降が共通のリユーザブル部品ｒによって構成される複数の印刷物のセット（ｓｅｔ１、ｓｅｔ２、…、ｓｅｔＮ）が要求されることがある。
【０００４】
このようなバリアブル部品ｖが混在する印刷物をＮセット作成する場合、従来は、リユーザブル部品ｒを含めて、図１１及び図１２に示すように、印刷物の複数ページを１枚の印刷用紙の両面に面付けしてカラープリンタにより印刷し（特許文献１参照）、次いで、図１３に示すように、切り離した各印刷物を重ね合わせることで印刷物のセットを作成している。なお、図１１は、中綴じ方式による印刷用紙の表面の面付け状態を表し、図１２は、図１１の印刷用紙の裏面の面付け状態を表す。
【０００５】
【特許文献１】特開２００５−２７５３２４号公報
【発明の開示】
【発明が解決しようとする課題】
【０００６】
しかしながら、製版印刷を行うことなく、全てのページをカラープリンタで印刷する場合、印刷物のセット数やページ数が多くなると、印刷に要するコストがかかるだけでなく、印刷時間も長くなってしまう。
【０００７】
本発明は、前記の不具合を解消するためになされたものであり、バリアブル部品を含む印刷物を安価且つ効率的に作成することのできる印刷システム及び印刷物作成方法を提供することを目的とする。
【課題を解決するための手段】
【０００８】
前記の目的を達成するために、本発明は、印刷物のページコンテンツを構成する印刷用コンテンツに、当該印刷物に固有のバリアブル部品が含まれるか否かを解析する部品解析装置と、
前記バリアブル部品が含まれる当該ページコンテンツを印刷する第１印刷装置と、
前記バリアブル部品が含まれない当該ページコンテンツを印刷する第２印刷装置と、
前記バリアブル部品が含まれる当該ページコンテンツの面付け処理を行い、前記第１印刷装置に供給する一方、前記バリアブル部品が含まれない当該ページコンテンツの面付け処理を行い、前記第２印刷装置に供給する面付け処理装置と、
を備えることを特徴とする。
【０００９】
また、本発明は、印刷物のページコンテンツを構成する印刷用コンテンツに、当該印刷物に固有のバリアブル部品が含まれるか否かを解析するステップと、
前記バリアブル部品が含まれる当該ページコンテンツの面付け処理を行い、第１印刷装置に供給するステップと、
前記バリアブル部品が含まれない当該ページコンテンツの面付け処理を行い、第２印刷装置に供給するステップと、
前記第１印刷装置及び前記第２印刷装置を用いて印刷物を作成するステップと、
を有することを特徴とする。
【発明の効果】
【００１０】
本発明の印刷システム及び印刷物作成方法では、印刷物を構成する各ページコンテンツにおけるバリアブル部品の有無に従い、適切な印刷装置を選択して各ページコンテンツを印刷することにより、印刷物を安価且つ効率的に作成することができる。
【発明を実施するための最良の形態】
【００１１】
図１は、本発明の印刷システム及び印刷物作成方法が適用される実施形態である印刷システム１０の構成ブロック図である。
【００１２】
印刷システム１０は、作家やアーティストにより、文章、画像又は線画からなる印刷用コンテンツを作成する印刷用コンテンツ作成装置１２と、編集者やデザイナーにより、印刷物上における各印刷用コンテンツの１ページ分のレイアウトを設定したページコンテンツを作成するページコンテンツ作成装置１４と、ページコンテンツを構成する印刷用コンテンツである部品が、各印刷物に固有のバリアブル部品であるのか、印刷物間で共通のリユーザブル部品であるのかを解析する部品解析装置１６と、解析結果に基づいてページコンテンツの面付け処理を行う面付け処理装置１８と、面付け処理されたバリアブル部品を含むページコンテンツを印刷するレーザプリンタ、インクジェットプリンタ等からなるカラープリンタ２０（第１印刷装置）と、面付け処理されたリユーザブル部品のみからなるページコンテンツを刷版上に記録するイメージセッタ２２と、刷版を用いてページコンテンツを印刷する印刷機２４（第２印刷装置）とを備える。
【００１３】
図２は、部品解析装置１６の構成ブロック図である。部品解析装置１６は、ページコンテンツを構成する各印刷用コンテンツに付加された部品情報に基づき、当該印刷用コンテンツがバリアブル部品であるのか、リユーザブル部品であるのかを判定する部品情報判定部２６と、部品情報判定部２６による判定結果に基づき、バリアブル部品が含まれているページコンテンツのページ番号をページリストに登録するページリスト登録部２８とを備える。
【００１４】
本実施形態の印刷システム１０は、基本的には以上のように構成されるものであり、次に、図３及び図４に示すフローチャートに従い、印刷物の作成処理について説明する。
【００１５】
先ず、作家やアーティストは、印刷用コンテンツ作成装置１２を用いて、文章、画像又は線画からなる印刷用コンテンツを作成する（ステップＳ１）。作成された各印刷用コンテンツは、例えば、ＰＤＦのファイル形式からなるオブジェクトデータとしてページコンテンツ作成装置１４に供給される。
【００１６】
次に、編集者やデザイナーは、ページコンテンツ作成装置１４を用いて、印刷物の各ページを構成する印刷用コンテンツのページレイアウトを設定することにより、ページコンテンツを作成する（ステップＳ２）。
【００１７】
次いで、ページコンテンツを構成する印刷用コンテンツにバリアブル部品が含まれている場合、当該ページコンテンツにバリアブル部品が含まれていることを示す部品情報を付加し、また、ページコンテンツを構成する印刷用コンテンツの全てがリユーザブル部品である場合、当該ページコンテンツがリユーザブル部品のみからなることを示す部品情報を付加する（ステップＳ３）。
【００１８】
部品情報が付加されたページコンテンツは、部品解析装置１６に供給される。部品解析装置１６の部品情報判定部２６は、各ページコンテンツの部品情報に基づき、当該ページコンテンツにバリアブル部品が含まれているか否かを判定する（ステップＳ４）。ページリスト登録部２８は、部品情報判定部２６の判定結果に基づき、バリアブル部品が含まれているページコンテンツをページリストに登録する（ステップＳ５）。
【００１９】
次に、ページコンテンツは、登録されたページリストとともに面付け処理装置１８に供給され、面付け処理が行われる（ステップＳ６）。そこで、図４に示すフローチャートに従い、ページコンテンツの面付け処理を説明する。なお、この面付け処理では、中綴じの製本様式からなる図１０に示す構成の印刷物のセット（ｓｅｔ１、ｓｅｔ２、…、ｓｅｔＮ）であって、外側にのみバリアブル部品ｖが配置される印刷物を作成するための処理が行われるものとする。
【００２０】
面付け処理装置１８では、使用する出力装置であるカラープリンタ２０及びイメージセッタ２２による製本様式と、１枚の印刷用紙及び刷版に出力するページコンテンツの最大面付け数を登録する（ステップＳ１１）。例えば、製本様式としては、「中綴じ」が設定登録される。また、カラープリンタ２０による最大面付け数ＰＯＤとしては、図５、図６に示すように、１枚の印刷用紙３０に最大２枚の面付け数が設定登録され、イメージセッタ２２による最大面付け数としては、図７、図８に示すように、１枚の刷版に最大８枚の面付け数が設定登録される。
【００２１】
図５は、印刷物のセットｓｅｔ１を作成するための印刷用紙３０の表に、１ページ目のページコンテンツ（バリアブル部品ｖ）と１２８ページ目のページコンテンツ（リユーザブル部品ｒ）を面付けし、図６は、図５の印刷用紙３０の裏に、２ページ目のページコンテンツ（リユーザブル部品ｒ）と１２７ページ目のページコンテンツ（リユーザブル部品ｒ）を面付けする場合を示す。また、図７は、印刷物のセットｓｅｔ１〜ｓｅｔＮを作成するためのＮ枚の印刷用紙３２の表に、８頁分のページコンテンツ（全てがリユーザブル部品ｒ）を面付けし、図８は、図７の各印刷用紙３２の裏に、８頁分のページコンテンツ（全てがリユーザブル部品ｒ）を面付けする場合を示す。なお、図７及び図８では、図１０に示すセットｓｅｔ１を作成するためのページコンテンツのページ数のみを記載しているが、例えば、ｓｅｔ１の３ページ、ｓｅｔ２の１３１ページ、ｓｅｔＮの２５９ページは、同一のページコンテンツであるため、同一内容からなるＮ枚の印刷用紙３２が作成される。
【００２２】
次に、面付け処理装置１８は、部品解析装置１６のページリスト登録部２８で登録されたページリスト、印刷物の各セットの先頭ページ番号ｉ、各セットのページ数ｎをコンテンツ情報として取得する（ステップＳ１２）。なお、図１０に示す例では、先頭ページ番号ｉは、１、１２９、２５７であり、ページ数ｎは、１２８である。
【００２３】
先頭ページ番号ｉ＝１として（ステップＳ１３）、ステップＳ１１で設定されたカラープリンタ２０による最大面付け数ＰＯＤ（図５、図６の場合、ＰＯＤ＝２）、ステップＳ５で登録されたバリアブル部品ｖを含むページ番号であるページリストに従い、ページコンテンツのｉ〜（ｉ＋ＰＯＤ−１）ページ、又は、（ｉ＋ｎ−１）〜（ｉ＋ｎ−ＰＯＤ）ページの何れかにバリアブル部品ｖが含まれるか否かを判定し（ステップＳ１４）、何れかのページにバリアブル部品ｖが含まれる場合、これらの全てのページコンテンツをカラープリンタ２０で出力するものとして分類し、そのページ番号をプリンタ出力リストに登録する（ステップＳ１５）。一方、これらのページにバリアブル部品ｖが含まれていない場合、これらの全てのページコンテンツを印刷機２４で出力するものとして分類し、そのページ番号を印刷出力リストに登録する（ステップＳ１６）。
【００２４】
次に、ｓｅｔ１内の残りのページにバリアブル部品ｖが含まれているか否かを判定し（ステップＳ１７）、バリアブル部品ｖが含まれているページ番号をプリンタ出力リストに登録し（ステップＳ１８）、バリアブル部品ｖが含まれていないページ番号を印刷出力リストに登録する（ステップＳ１９）。
【００２５】
以上のようにして、ｓｅｔ１内の全てのページ番号がプリンタ出力リスト及び印刷出力リストに登録された後、プリンタ出力リストに登録されたページ番号のページコンテンツをカラープリンタ２０で出力するための面付け処理を行い（ステップＳ２０）、また、印刷出力リストに登録されたページ番号のページコンテンツを印刷機２４で出力するための面付け処理を行う（ステップＳ２１）。
【００２６】
具体的には、ｓｅｔ１の印刷物を作成する場合、１ページ目のみがバリアブル部品ｖを含んでいるが、カラープリンタ２０による最大面付け数ＰＯＤが２に設定されているため、図５及び図６に示すように、ページ数１、２、１２７、１２８のページコンテンツがカラープリンタ２０によって出力されるように、面付け処理が行われる。また、これら以外のページには、バリアブル部品ｖが含まれていないため、図７及び図８に示すようにして、刷版に対する面付け処理が行われる。
【００２７】
カラープリンタ２０用に面付け処理されたページコンテンツは、カラープリンタ２０に送信される（ステップＳ２２）。また、印刷機２４用に面付け処理されたページコンテンツは、イメージセッタ２２に送信される（ステップＳ２３）。同様にして、各印刷物のｓｅｔ２〜ｓｅｔＮに対する面付け処理が行われる（ステップＳ２４）。
【００２８】
カラープリンタ２０に送信されたページコンテンツは、図５及び図６に示すようにして印刷用紙３０に出力される（図３、ステップＳ７）。この場合、カラープリンタ２０では、バリアブル部品ｖを含むページコンテンツのみが効率的に作成される。
【００２９】
また、イメージセッタ２２に送信されたページコンテンツからは、印刷物の１セット分の刷版のみが作成される。次いで、この刷版を用いて、印刷機２４によりＮセット分のページコンテンツが印刷用紙３２に出力される。この場合、印刷機２４では、リユーザブル部品ｒのみからなるページコンテンツが効率的に作成される。
【００３０】
以上のようにして作成された各ページコンテンツは、図９に示すように、カラープリンタ２０で作成された印刷物３４と、印刷機２４で作成された印刷物３６とを合わせることにより、ｓｅｔ１の印刷物３８が作成される。同様にして、ｓｅｔ２〜ｓｅｔＮの印刷物が作成される。
【００３１】
このように、バリアブル部品ｖを含むページコンテンツをカラープリンタ２０により作成する一方、リユーザブル部品ｒのみからなるページコンテンツを印刷機２４により作成することにより、バリアブル部品ｖ及びリユーザブル部品ｒが混在する印刷物３８を安価且つ効率的に作成することができる。
【００３２】
なお、本発明は、上述した実施形態に限定されるものではなく、本発明の主旨を逸脱しない範囲で自由に変更できることは勿論である。
【図面の簡単な説明】
【００３３】
【図１】本実施形態の印刷システムの構成ブロック図である。
【図２】印刷システムを構成する部品解析装置の構成ブロック図である。
【図３】本実施形態の印刷システムによる印刷物の作成処理のフローチャートである。
【図４】本実施形態の印刷システムによる面付け処理のフローチャートである。
【図５】カラープリンタにより作成される印刷物表面の面付け状態の説明図である。
【図６】カラープリンタにより作成される印刷物裏面の面付け状態の説明図である。
【図７】印刷機により作成される印刷物表面の面付け状態の説明図である。
【図８】印刷機により作成される印刷物裏面の面付け状態の説明図である。
【図９】カラープリンタにより作成された印刷物と、印刷機により作成された印刷物とから、１セットの印刷物を作成する場合の説明図である。
【図１０】バリアブル部品及びリユーザブル部品が混在する印刷物の説明図である。
【図１１】従来技術において、カラープリンタにより作成される印刷物表面の面付け状態の説明図である。
【図１２】従来技術において、カラープリンタにより作成される印刷物裏面の面付け状態の説明図である。
【図１３】従来技術により作成された印刷物の説明図である。
【符号の説明】
【００３４】
１０…印刷システム
１２…印刷用コンテンツ作成装置
１４…ページコンテンツ作成装置
１６…部品解析装置
１８…面付け処理装置
２０…カラープリンタ
２２…イメージセッタ
２４…印刷機
２６…部品情報判定部
２８…ページリスト登録部
３０、３２…印刷用紙
３４、３６、３８…印刷物
【図１】
2009279827.tif 000003
【図２】
2009279827.tif 000004
【図３】
2009279827.tif 000005
【図４】
2009279827.tif 000006
【図５】
2009279827.tif 000007
【図６】
2009279827.tif 000008
【図７】
2009279827.tif 000009
【図８】
2009279827.tif 000010
【図９】
2009279827.tif 000011
【図１０】
2009279827.tif 000012
【図１１】
2009279827.tif 000013
【図１２】
2009279827.tif 000014
【図１３】
2009279827.tif 000015